(57)【要約】【課題】  安定した原稿の読み取り、及び読み取り後の搬送を行う。【解決手段】  移動する原稿Ｓの読み取りを行う原稿読み取り部であるプラテンガラス３０３へ向けて原稿Ｓを搬送するとともに、プラテンガラス３０３の位置において読み取られた原稿Ｓを搬送路２３０、２４０（ニップ部２０７１）へ戻して搬送する原稿給送部２００（ＡＤＦ）を備えた複写機１において、ガイド部材３２０を、プラテンガラス３０３の位置からニップ部２０７１にかけての本体部１０と原稿給送部２００との間の隙間部３３０に対して突没自在に設け、プラテンガラス３０３の下流側におけるすくい上げ部材３１０によってプラテンガラス３０３上からすくい上げられた原稿Ｓを、ニップ部２０７１へ向けてガイドする。【選択図】  図３
2005213014.tif 000002
【特許請求の範囲】
【請求項１】
移動する原稿の読み取りを行う読取部と、読取部へ向けて原稿を搬送するとともに、当該読取部によって読み取られた原稿を排出路に搬入させる原稿送り部を備えた画像形成装置であって、
前記読取部から排出路の搬入口にかけての装置本体部と原稿送り部との間の隙間部に対して突没自在に設けられ、読取部の下流側において所定のすくい上げ部材によって当該読取部上からすくい上げられた原稿を、前記排出路の搬入口へ向けてガイドするガイド手段を備えることを特徴とする画像形成装置。
【請求項２】
前記原稿送り部は、装置本体部の上面に対して開閉自在に設けられたものであって、
原稿送り部を閉じた場合に、ガイド手段は前記隙間部側に突出した状態となり、
原稿送り部を開いた場合に、ガイド手段は装置本体部側に没入した状態となることを特徴とする請求項１記載の画像形成装置。
【請求項３】
前記ガイド手段は、所定の回転中心軸線周りに軸回転する軸体と、
軸体の軸方向に沿った所定位置に並設された所定数のリブと、
軸体に対して一体的に設けられ、押圧力を受けて軸体を軸回転させる突起部材と、
軸体に対して、原稿送り部が開かれた状態において前記突起部材を装置本体部の上面から突出させる回転方向へ付勢する付勢部とを備えており、
原稿送り部を閉じた場合には、当該原稿送り部による突起部材の押下に応じて、前記付勢部による付勢力に抗した軸体の軸回転によってリブが前記隙間部側に突出し、
原稿送り部を開いた場合には、前記付勢力によって突起部材が装置本体部の上面から突出するとともにリブが装置本体部側に没入することを特徴とする請求項２記載の画像形成装置。
【請求項４】
前記リブは、軸体の軸方向に沿って、各サイズの原稿の縦及び横方向の幅寸法に基づいた位置に並設されてなることを特徴とする請求項３記載の画像形成装置。
【発明の詳細な説明】
【技術分野】
【０００１】
本発明は、原稿を搬送する自動原稿搬送装置等を備えた複写機や複合機等の画像形成装置に関し、特にＣＣＤ等からなるスキャナ（露光光学系）を所定の読み取り位置に停止（又は固定）しておき、この読み取り位置に搬送されてきた原稿をスキャナで読み取る原稿移動型露光方式の画像形成装置に関する。
【背景技術】
【０００２】
従来、複写機や複合機等の画像形成装置においては、例えば装置本体上部に自動原稿搬送装置（ＡＤＦ；Auto Document Feeder）を備え、スリット状に形成された読み取り位置（プラテンガラス上）に自動で搬送されてきた原稿を、この読み取り位置上を一定速度で移動させつつ当該読み取り位置（プラテンガラスの下方位置）に停止されたスキャナによって露光走査して読み取るといった原稿移動露光方式による原稿読み取り動作を行うものがある。
【０００３】
この画像形成装置では、読み取り位置の下流側の近傍には、プラテンガラス上から原稿をすくい上げて、ＡＤＦの排出路に向けて搬入させる（原稿を装置本体上部の読み取り位置からＡＤＦへ戻す）ためのすくい上げ部材が設けられている。このすくい上げ部材とＡＤＦとの間には隙間部が存在し、搬送される原稿の先端等が、排出路入口に配設された搬送ローラあるいは搬送ローラ近傍のＡＤＦのフレーム部等に衝突してその搬送が妨げられ、原稿の詰まり（ジャム）あるいは原稿の捻れや折れによる原稿画像の読み取り不具合が発生してしまうことがあった。
【０００４】
これに対し、例えば特許文献１に開示されているように、搬送路の間隔を一定に保ちつつ走行する原稿をプラテンガラス面から排出路へ向けて案内するガイド部材（第1のガイド部材）が本体部上に突設されたり、また、特許文献２に開示されているように、プラテンガラス面から排出路へ向けて案内するガイド部材（内側ガイド部材、外側ガイド部材）が設けられている。
【特許文献１】特開２００２−１７１３８５号公報
【特許文献２】特開平１０−１８１９４２号公報
【発明の開示】
【発明が解決しようとする課題】
【０００５】
しかしながら、上記引用文献１に開示されている従来技術では、ガイド部材が常時突出された状態となっており、例えば装置本体上面に本（ブック原稿）を開いて載置してコピーする場合等において、ガイド部材が本やユーザの手等に当接してしまい、本や手等を傷付けてしまう可能性があった。また、突設されたガイド部材に何か硬いものが当接されることにより、ガイド部材の搬送面が傷ついてしまい、この傷部に搬送されてきた原稿が引っかかるなどして安定した搬送が行われなくなる可能性もあった。
【０００６】
また、上記引用文献２に開示されている従来技術では、ガイド部材が例えばフィルム等の弾性を有するものから形成されるため、厚い原稿の搬送時など、搬送が不安定になる可能性があった。
【０００７】
一方で、上記すくい上げ部材や、ＡＤＦにおけるすくい上げられてきた原稿を受ける部位が、例えば樹脂成形時（製造時）における反り等の変形をもってしまった場合、原稿の搬送が当該変形の影響をうけてしまうといった問題も存在する。
【０００８】
本発明は上記事情に鑑みてなされたもので、原稿読み取り位置近傍等の装置における反り等の変形に左右されることなく、また、本や手等に当接せず、かつ読み取られた原稿のすくい上げ時の引っ掛かりや紙詰まり等のない、安定した原稿の読み取り、及び読み取り後の搬送を行うことができる画像形成装置を提供することを目的とする。
【課題を解決するための手段】
【０００９】
本発明にかかる画像形成装置は、移動する原稿の読み取りを行う読取部と、読取部へ向けて原稿を搬送するとともに、当該読取部によって読み取られた原稿を排出路に搬入させる原稿送り部を備えた画像形成装置であって、前記読取部から排出路の搬入口にかけての装置本体部と原稿送り部との間の隙間部に対して突没自在に設けられ、読取部の下流側において所定のすくい上げ部材によって当該読取部上からすくい上げられた原稿を、前記排出路の搬入口へ向けてガイドするガイド手段を備えることを特徴とする。
【００１０】
また、前記原稿送り部は、装置本体部の上面に対して開閉自在に設けられたものであって、原稿送り部を閉じた場合に、ガイド手段は前記隙間部側に突出した状態となり、原稿送り部を開いた場合に、ガイド手段は装置本体部側に没入した状態となることが好ましい。
【００１１】
また、前記ガイド手段は、所定の回転中心軸線周りに軸回転する軸体と、軸体の軸方向に沿った所定位置に並設された所定数のリブと、軸体に対して一体的に設けられ、押圧力を受けて軸体を軸回転させる突起部材と、軸体に対して、原稿送り部が開かれた状態において前記突起部材を装置本体部の上面から突出させる回転方向へ付勢する付勢部とを備えており、原稿送り部を閉じた場合には、当該原稿送り部による突起部材の押下に応じて、前記付勢部による付勢力に抗した軸体の軸回転によってリブが前記隙間部側に突出し、原稿送り部を開いた場合には、前記付勢力によって突起部材が装置本体部の上面から突出するとともにリブが装置本体部側に没入することが好ましい。
【００１２】
また、前記リブは、軸体の軸方向に沿って、各サイズの原稿の縦及び横方向の幅寸法に基づいた位置に並設されてなることが好ましい。
【発明の効果】
【００１３】
請求項１記載の発明によれば、ガイド手段が、読取部から排出路の搬入口にかけての装置本体部と原稿送り部との間の隙間部に対して突没自在に設けられ、このガイド手段によって、読取部の下流側において所定のすくい上げ部材によって当該読取部上からすくい上げられた原稿が排出路の搬入口へ向けてガイドされる。
【００１４】
このように、装置本体部と原稿送り部との間の隙間部に対して突没自在に設けられ、読取部上からすくい上げられた原稿が排出路の搬入口へ向けてガイドされるガイド手段を備えることにより、例えば、原稿の自動読み取り時には、ガイド手段を突出させてすくい上げられた原稿を排出路の搬入口へ向けてガイドし、一方、自動原稿読取機構を使用しない場合（原稿送り部を開いた場合）に、ガイド手段を没入させるといった構成にするといったことが可能となり、したがって、原稿読み取り位置近傍等の装置における反り等の変形に対して裕度を有し、また、本や手等に当接せず、かつ読み取られた原稿のすくい上げ時の引っ掛かりや紙詰まり等のない安定した原稿の読み取り及び読み取り後の搬送を実現することができる。
【００１５】
請求項２記載の発明によれば、原稿送り部は、装置本体部の上面に対して開閉自在に設けられ、原稿送り部が閉じられた場合に、ガイド手段が隙間部側に突出した状態とされ、原稿送り部が開かれた場合に、ガイド手段が装置本体部側に没入した状態とされる。このように、原稿送り部を装置本体部に対して閉じた場合に、ガイド手段を隙間部側に突出させてすくい上げられた原稿を排出路の搬入口へ向けてガイドし、かつ、原稿送り部を装置本体部に対して開いた場合に、ガイド手段を装置本体内へ没入させる構成であるため、原稿送り部の開閉動作によって当該ガイド手段を突没させることができる、すなわち、ガイド手段の突没を、当該ガイド手段の突没を行うための特別な動作を必要とせずに容易に行うことができるようになる。
【００１６】
請求項３記載の発明によれば、ガイド手段には、所定の回転中心軸線周りに軸回転する軸体と、軸体の軸方向に沿った所定位置に並設された所定数のリブと、軸体に対して一体的に設けられ、押圧力を受けて軸体を軸回転させる突起部材と、軸体に対して、原稿送り部が開かれた状態において突起体を装置本体部の上面から突出させる回転方向へ付勢する付勢部とが備えられており、原稿送り部が閉じられた場合には、当該原稿送り部による突起体の押下に応じて、付勢部による付勢力に抗した軸体の軸回転によってリブが隙間部側に突出され、原稿送り部が開かれた場合には、付勢力によって突起体が装置本体部の上面から突出されるとともにリブが装置本体部側に没入される。
【００１７】
このように、ガイド手段が、軸体、リブ、突起部材、及び付勢部からなり、原稿送り部を閉じた場合には、原稿送り部による突起体の押下に応じてリブが隙間部側に突出し、原稿送り部を開いた場合には、付勢力によって突起体が装置本体部上に突出し、かつリブが装置本体部側に没入する構成であるため、原稿送り部の開閉動作に応じて突没自在となるガイド手段を、簡易な構成で実現することができる。
【００１８】
請求項４記載の発明によれば、リブが、軸体の軸方向に沿って、各サイズの原稿の縦及び横方向の幅寸法に基づいた位置に並設される。これにより、リブを、軸体に対して効果的に配置することができ、すなわち、軸体に余分なリブを形成することがなく、ひいては省資源化を図ることができる。
【発明を実施するための最良の形態】
【００１９】
図１は、本発明の実施形態に係る画像形成装置の一例である複写機１の内部構成を概略的に示す断面図である。複写機１は、画像形成部１００、画像形成部１００を備える本体部１０の上方に設置された原稿給送部２００、本体部１０の上部に設置された原稿読取部３００、本体部１０の下部に設置された給紙部４００、本体部１０のフロント部（上部かつ正面側）に設置された操作表示部５００を備えている。
【００２０】
原稿読取部３００は、原稿の読み取りを行って当該原稿に対応する画像データを生成するものである。原稿読取部３００は、光学的に取得した原稿の画像から画像データを生成するＣＣＤ（Charge Coupled Device）センサ及び露光ランプ等を備えたスキャナ３０１などからなり、その上面に、装置原稿読み取り用のプラテンガラス３０２と、ＡＤＦ原稿読み取り用のプラテンガラス３０３とを備えている。原稿読取部３００は、プラテンガラス３０２上に載置された原稿、あるいは原稿給送部２００によってプラテンガラス３０３に接するようにして搬送（移動）される原稿を走査しつつ取得した画像データを後述する制御部２０へ出力する。
【００２１】
原稿給送部２００（ＡＤＦ）は、原稿読取部３００（プラテンガラス３０３の原稿読み取り位置）へ原稿を給送するとともに、当該原稿読取部３００によって読み取られた原稿を原稿給送部２００の排出部（後述する原稿排出部２１３）へ排出するものである。この原稿給送部２００は、装置の背面側を回動支点（回転中心軸）として本体部１０（原稿読取部３００）の上面に対して可倒式に構成されており、プラテンガラス３０２（３０３）の上面を開放するように上方かつ後方側に開くように持ち上げることにより、プラテンガラス３０２の上面に、例えば見開き状態にされた書籍等の読み取り用原稿（上記装置原稿）を載置することが可能に構成されている。なお、原稿給送部２００の詳細な構成については後述する。
【００２２】
給紙部４００は、画像形成部１００に対して用紙の給紙を行うものである。給紙部４００は、各サイズの用紙（記録紙）が収納される給紙カセット４０１、４０２、及び本体部１０の一側方部に開閉自在に構成された手差しトレイ４０３１等からなる手差し給紙部４０３を備えている。また、給紙部４００は、給紙カセット４０１、４０２から画像形成部１００へ用紙を搬送する搬送経路４０４、手差し給紙部４０３から画像形成部１００へ用紙を搬送する搬送経路４０５を備えている。各給紙カセット４０１、４０２及び手差し給紙部４０３は、収納されている用紙を取り出すためのピックアップローラ４０６、４０７、４０８、用紙を１枚ずつ各搬送経路に送り出す給紙ローラ４０９、４１０、４１１を備えている。
【００２３】
搬送経路４０４には、用紙を搬送する搬送ローラ４１２、４１３、及び搬送されてくる用紙を画像形成部１００の手前で待機させるためのレジストローラ４１４が設けられている。なお、搬送経路４０５は、レジストローラ４１４の上流側で搬送経路４０４と合流している。
【００２４】
画像形成部１００は、給紙部４００によって搬送されてきた用紙に対して所定の画像を形成する（印刷する）ものである。画像形成部１００は、同図中に示す矢印方向に回転可能に支持された感光体ドラム１０１、この感光体ドラム１０１の周囲に配設された帯電部
１０２、現像部１０３、クリーニング部１０４、レーザ走査ユニット１０５及び転写ロー
ラ１０６、転写ローラ１０６の下流側に配設された定着ローラ１０７を備えている。
【００２５】
帯電部１０２は、感光体ドラム１０１の表面を所定電位に均一に帯電させるものである。レーザ走査ユニット１０５は、後述する画像記憶部３０から送信されてきた画像データに基づき、レーザービームを感光体ドラム１０１の表面に照射し、感光体ドラム１０１表面に静電潜像を形成するものである。現像部１０３は、静電潜像にトナーを付着させて画像（原稿画像）を顕在化させるものである。転写ローラ１０６は、搬送されてきた用紙を感光体ドラム１０１に押し付けた状態で、感光体ドラム１０１上に顕在化したトナー像を当該用紙に転写するものである。定着ローラ１０７は、用紙に転写されたトナー像を定着させるものである。定着ローラ１０７は、図略のヒートローラ及び圧ローラからなり、このヒートローラの熱によって用紙上のトナーを溶かし、圧ローラによって圧力をかけてトナーを用紙上に定着させる。クリーニング部１０４は、用紙への画像の転写が終了した後、感光体ドラム１０１の表面に残留しているトナーを清掃するものである。
【００２６】
本体部１０の上部及び側面部には、用紙排出トレイ１０８、１０９が設けられており、定着ローラ１０７から搬送されてきた用紙は、それぞれ排出ローラ１１０、１１１によって用紙排出トレイ１０８、１０９へ排出される。なお、用紙の搬送方向は、排出分岐ガイド１１２によって、排出ローラ１１０側と排出ローラ１１１側とに切り換え可能に構成されている。
【００２７】
操作表示部５００は、ユーザの操作に応じて所定の指示入力を行うものである。操作表示部５００は、ユーザが印刷実行指示を入力するためのスタートキー５０１と、印刷部数等を入力するためのテンキー５０２と、各種複写動作の設定等を入力するための操作ガイド情報等を表示すると共に、種々の操作ボタン等が表示される液晶表示器（ＬＣＤ）等からなる表示器５０３（ディスプレイ）とを備えている。
【００２８】
図２は、図１に示す複写機１の概略構成を示すブロック図である。複写機１は、装置全体の動作制御を司る制御部２０を備えている。制御部２０は、複写機１の制御プログラムを記憶するＲＯＭ（Read Only Memory）、一時的にデータを保管するＲＡＭ（Random Access Memory）、及び上記制御プログラム等をＲＯＭから読み出して実行するマイクロコンピュータ等からなり、操作表示部５００等において入力された所定の指示情報や、本装置の各所に設けられた各種センサからの検出信号に応じて装置全体の制御を行うものである。この制御部２０は、レーザ走査ユニット１０５や定着ローラ１０７等からなる画像形成部１００、後述する原稿載置部２０１や搬送ローラ２０４等からなる原稿給送部２００、スキャナ３０１やプラテンガラス３０２等からなる原稿読取部３００、給紙カセット４０１、４０２や搬送経路４０４、４０５等からなる給紙部４００、スタートキー５０１や表示器５０３等からなる操作表示部５００、画像記憶部３０、及び画像処理部４０などが接続されている。
【００２９】
画像記憶部３０は、原稿読取部３００によって読み取られた原稿の画像データや図略のネットワークＩ／Ｆ部等を介して外部装置から送信されてきた画像データを一時的に記憶するメモリである。
【００３０】
画像処理部４０は、上記画像データに対する各種画像処理、例えばガンマ処理や拡大縮小処理を行うものである。画像処理部４０では、例えば原稿読取部３００による読み取りによって得られた原稿画像に対する画像データのＡ／Ｄ変換が行われ、当該Ａ／Ｄ変換された画像データを用いて上記各種画像処理が行われる。
【００３１】
図３は、上記図１に示す原稿給送部２００及び本体部１０（原稿読取部３００）の上面部の拡大図である。図３に示すように原稿給送部２００は、原稿載置部２０１、ピックアップローラ２０２、搬入ローラ２０３、搬送ローラ２０４、搬送ドラム２０５、読み取りガイド部材２０６、搬送ローラ２０７、排出ローラ２０８、反転ローラ２０９、ストッパ２１０、セットスイッチ２１１、分岐ガイド２１２、原稿排出部２１３、及び原稿が搬送される経路である各搬送路２２０、２３０、２４０、２５０等を備えている。一方、本体部１０は、本体部１０の上面部に、すくい上げ部材３１０及びガイド部材３２０を備えている。
【００３２】
原稿載置部２０１は、所定枚数の原稿Ｓを載置するための台部である。ピックアップローラ２０２は、原稿載置部２０１に載置された原稿Ｓを搬入ローラ２０３側へ向けて繰り出すためのものである。ピックアップローラ２０２は、外形視略箱状（長方体状）の可動部材２１０１によって搬入ローラ２０３の回転軸を中心として揺動（回動）可能に支持されており、原稿読み取り時には、可動部材２１０１による符号２１０２に示す矢印方向への回動によって原稿載置部２０１上に載置された原稿Ｓ上に押し付けられ、当該押し付けられた原稿Ｓを搬入ローラ２０３側へ向けて搬送する。搬入ローラ２０３は、単に原稿Ｓを搬入するだけでなく、ピックアップローラ２０２によって原稿載置部２０１から繰り出された原稿Ｓを１枚ずつ原稿給送部２００本体内に搬入するための所謂用紙捌きローラでもある。搬入ローラ２０３と対向する位置には、分離パッド２０３１（フリクションパッド）が設けられており、原稿Ｓに対する搬入ローラ２０３の摩擦係数、原稿Ｓに対する分離パッド２０３１の摩擦係数、及び原稿Ｓ同士の摩擦係数の違いを利用し、重送されてきた場合の原稿Ｓを１枚ずつ分離して送り出すことが可能に構成されている。
【００３３】
搬送ローラ２０４は、搬入ローラ２０３によって搬入された原稿Ｓを、搬送路２２０中を搬送させるものであるとともに、原稿Ｓの先端が揃えられたタイミングで当該原稿Ｓをプラテンガラス３０３へ向けて搬送する所謂レジストローラでもある。
【００３４】
搬送ローラ２０４の位置まで搬入されてきた原稿Ｓは、その先端が搬送ローラ２０４と搬送ドラム２０５との間のニップ部の位置に当接して停止されるとともに、搬入ローラ２０３等による搬送によって原稿後部側が押されることによって、先端が揃えられる（所謂スキューが修正される）。
【００３５】
搬送ローラ２０４直近の上流側でかつ搬送ローラ２０４と略対向する位置にはタイミングスイッチ２０４１が設けられている。このタイミングスイッチ２０４１は、搬送路２２０に所定の爪部材を突出し、搬送されてきた原稿Ｓの先端をこの突出した爪部材に当接させ、この爪部材に当接している原稿Ｓの先端がさらに上記ニップ部の位置に当接するまで当該爪部材を搬送方向へ回転させる。この回転に基づいて、タイミングスイッチ２０４１における例えば爪部材の回転支点側に配設されたスイッチ部２０４２によってオフ（又はオン）され、上記ニップ部の位置まで原稿Ｓ（の先端部）が搬入されてきたことが検出される。ただし、このタイミングスイッチ２０４１が上記オフされた時点で、時間のカウントが開始される。搬送ローラ２０４（及び搬送ドラム２０５）は、タイミングスイッチ２０４１が上記オフされてから所定時間が経過した時点で回転駆動が開始され、上述のように先端が揃えられた状態の原稿Ｓを下流に向けて送り出す。なお、上記「所定時間」は、原稿Ｓの先端が揃えられた時点で下流に向けてタイミングよく送り出すことができるような時間が設定されている。
【００３６】
搬送ドラム２０５は、軸２０５１を回転中心として符号Ａに示す矢印方向に回転し、搬送路２２０や搬送路２５０における原稿Ｓを、原稿読取部３００のプラテンガラス３０３（原稿読み取り位置）へ向けて搬送するとともに、プラテンガラス３０３の位置において読み取られた原稿Ｓをさらに下流側に向けて搬送させるものである。読み取りガイド部材２０６は、プラテンガラス３０３との隙間を一定に保持して、プラテンガラス３０３位置における原稿Ｓの搬送を安定させ、読み取り動作を適正に行わせるためのものである。
【００３７】
搬送ローラ２０７は、プラテンガラス３０３において読み取られた原稿Ｓを、再び原稿給送部２００側（搬送路２３０及び搬送路２４０）へ戻すべく搬送（搬入）させるものである。排出ローラ２０８は、搬送路２３０を搬送されてきた原稿Ｓを、原稿排出部２１３へ排出するものである。反転ローラ２０９は、原稿Ｓの裏表面の向き、すなわち、プラテンガラス３０３における原稿読み取り側の面を反転させるためのものである。反転ローラ２０９は、搬送路２４０を搬送されてきた原稿Ｓを、当該原稿Ｓの後端部が反転ローラ２０９の位置辺りにくるまで搬送し（原稿Ｓの先端側を原稿給送部２００外へ出し）、その後、反転ローラ２０９の回転を逆回転させて当該原稿Ｓを原稿給送部２００内へ戻し、搬送路２５０へ向けて搬送する。これにより、プラテンガラス３０３に対する原稿Ｓの読み取り面が反転される。
【００３８】
ストッパ２１０は、原稿載置部２０１上に載置（セット）された原稿Ｓが、ピックアップローラ２０２によって繰り出される前に、原稿載置部２０１の奥の方（搬入ローラ２０３の近傍位置）まで挿し込まれてしまうのを防止するものである。ストッパ２１０は、下方に向けて延びてなるアーム状体であり、上端側が上記可動部材２１０１に回動可能に支持されている。このストッパ２１０は、ピックアップローラ２０２による繰り出し動作が行われる前には、原稿載置部２０１から搬入ローラ２０３への搬送路２２０を塞ぐような位置に配置され、ピックアップローラ２０２による原稿Ｓの繰り出し動作が行われるときには、搬送路２２０を開けるように上方に向けて回転される。
【００３９】
セットスイッチ２１１は、原稿載置部２０１上に載置される原稿Ｓ（原稿用紙）の有無を検出するものである。セットスイッチ２１１は、上記ストッパ２１０と同様に、下方に向けて延びてなるアーム状体であり、上端側が可動部材２１０１に回動可能に支持されている。セットスイッチ２１１は、ストッパ２１０よりも上流側に配置されており、原稿載置部２０１上に載置された原稿Ｓの先端が当接して搬送方向に押されて、当該セットスイッチ２１１に当接している原稿Ｓの先端がさらにストッパ２１０に当接する位置まで回転し、当該セットスイッチ２１１の下端側に配設されたスイッチ部２１１１によってオフ（又はオン）されることにより、上記原稿載置部２０１上に原稿Ｓが載置されていることを検出する。
【００４０】
分岐ガイド２１２（分岐爪）は、搬送ローラ２０７より下流の搬送経路を、搬送路２３０及び搬送路２４０のいずれかに切り換えるためのものである。原稿排出部２１３は、排出ローラ２０８によって排出された原稿Ｓを載置する台部である。
【００４１】
ところで、原稿給送部２００は、片面コピー、あるいは両面コピーを行うかによって、すなわち、原稿Ｓの片面（例えば表面）のみを読み取るか、あるいは両面（表及び裏面）を読み取るかによって、原稿Ｓの搬送経路が異なる。片面コピーを行う場合、原稿載置部２０１に載置された原稿Ｓは、搬送路２２０を経由してプラテンガラス３０３へ搬送され、プラテンガラス３０３における原稿の表面の読み取り後、搬送路２３０を経由して原稿排出部２１３へ排出される。
【００４２】
一方、両面コピーを行う場合、原稿載置部２０１に載置された原稿Ｓは、搬送路２２０を経由してプラテンガラス３０３へ搬送され、プラテンガラス３０３における原稿の表面の読み取り後、搬送路２４０を経由して反転ローラ２０９の位置まで搬送され、当該反転ローラ２０９によって搬送路２５０に向けて逆送される。そして、この原稿は、プラテンガラス３０３へ搬送されて裏面の読み取りが行われた後、搬送路２４０を経由して反転ローラ２０９の位置まで搬送され、再度、搬送路２５０へ向けて逆送され、プラテンガラス３０３の位置を通過し、搬送路２３０を経由して原稿排出部２１３へ排出される。このように、両面コピーの際には、原稿Ｓは反転ローラ２０９によって裏表の向きが２回反転されて原稿排出部２１３へ排出される構成となるため、両面コピーされた複数枚の原稿Ｓが原稿排出部２１３へ排出されて順に積載される際に、原稿Ｓの（表裏の）ページ順が、原稿載置部２０１上に載置されていた順序となるようにすることができる。
【００４３】
次に、上記本体部１０の上面部に設けられた、すくい上げ部材３１０及びガイド部材３２０について説明する。図３に示すように、すくい上げ部材３１０は、プラテンガラス３０３の下流側直近でかつ本体部１０の上面部において突設されており、スキャナ３０１による原稿画像の読み取りがなされるべくプラテンガラス３０３上を摺接して移動される原稿Ｓを、当該プラテンガラス３０３上面から搬送路２３０、２４０の搬入口（入口部）の位置、すなわち、搬送ドラム２０５と搬送ローラ２０７とのニップ部２０７１へ向けてすくい上げるものである。
【００４４】
すくい上げ部材３１０は、プランテンガラス３０３側の側面が所定角度で傾斜し、かつ、プラテンガラス３０３の下流側の端部（端辺）と当該側面とが接続されている。すなわち、すくい上げ部材３１０は、プラテンガラス３０３上面と一続きの面とされた、すくい上げ面部３１０１が形成されている（後述の図５参照）。プラテンガラス３０３上を移動してきた原稿Ｓは、すくい上げ面部３１０１に当接し（例えば原稿Ｓの先端部、胴部と順に当接し）、搬送される向きが当該すくい上げ面部３１０１の傾斜方向の向きに変更される。
【００４５】
ガイド部材３２０は、プランテンガラス３０３から上記搬送路２３０、２４０の入口部（ニップ部２０７１）にかけての本体部１０と原稿給送部２００との間の隙間部３３０に対して突没自在に設けられ、すくい上げ部材３１０によってすくい上げられた原稿Ｓを、上記ニップ部２０７１へ向けてガイド（案内）するものである。ガイド部材３２０は、原稿給送部２００の開閉動作に応じて、上記隙間部３３０へ突出したり、本体部１０内に没入する構成となっている。
【００４６】
ここで、ガイド部材３２０について、以下に詳述する。図４は、ガイド部材３２０の一例を概略的に示す図であり、（ａ）は上面図、（ｂ）は正面図、（ｃ）は、図４（ａ）における符号Ｂに示す矢印方向から見た場合の側面拡大図を示している。図４に示すように、ガイド部材３２０は、軸体３２１、リブ３２２、突起部材３２３、及び付勢部３２４とを備えている。
【００４７】
軸体３２１は、軸体３２１の軸中心線、すなわち、回転中心軸線周りに回動するものであり、ガイド部材３２０の所謂本体に相当するものである。軸体３２１は、軸断面形状が例えば略円形状の棒状体であり、軸方向の長さがプラテンガラス３０３（すくい上げ部材３１０）の長手方向の長さ寸法程度又はそれ以上の大きさとなっている。軸体３２１は、軸の接線方向の捻り（モーメント）に対する強度が高い材質からなることが好ましく、これにより、後述する突起体３２５の押下による軸体３２１の軸回転時の捻れ等が防止され、リブ３２２の安定した突没動作が実現される。
【００４８】
なお、軸体３２１は、棒状体でなくともよく、上記回転中心軸線周りに軸回転（回動）可能に構成されるものであればいずれの形状であってもよい。また、軸体３２１は、例えば、ＰＯＭ（Polyoxymethylene）樹脂やＡＢＳ（Acrylonitrile Butadiene Styrene）樹脂等の樹脂材料によって成形されていてもよい。
【００４９】
リブ３２２は、軸体３２１の軸方向に沿って並設され、すなわち、リブ３２２の上辺部（後述する当接部３２２１）が同じ位置となるよう互いに平行に配置され、かつ、軸体３２１の半径方向（軸方向と垂直な方向）に突設されてなる側面視略三角形状の板状体であり、当該リブ３２２上部の当接部３２２１において、プラテンガラス３０３上からすくい上げ部材３１０によりすくい上げられた原稿に対して下方から当接し、この原稿をニップ部２０７１へ向けて持ち上げる（ガイドする）ためのものである。
【００５０】
ところで、リブ３２２は、軸体３２１において、すくい上げ部材３１０上に搬送されてくる各サイズの原稿の、縦方向及び横方向の幅寸法に基づいた位置に上記のように並設されていることが好ましい。すなわち、リブ３２２が、各原稿における搬送方向と垂直な方向の両端辺にかかる位置、例えばこの両端辺の位置あるいは両端辺から所定距離（例えば１０ｍｍ）内側に入った位置となるように軸体３２１に並設されていることが好ましい。換言すれば、リブ３２２が、上記原稿の両端辺より例えば外側に配置されてしまっており、原稿の両端辺部を持ち上げてガイドできないといった、効率の悪い配置とならないように設けられていることが好ましい。
【００５１】
ただし、上記各原稿には、「Ａ４」サイズや「Ｂ５」サイズ、又は葉書サイズといった各種サイズが存在し、また、搬送される向きも横向きや縦向きとなることがあるため、少なくともこれら各原稿サイズ、及び縦及び横向きの場合、あるいはすくい上げ部材３１０に対する原稿の搬送位置等を考慮したリブ３２２の配置がなされることが必要となる。結果として、軸体３２１に並設されるリブ３２２同士の間隔は、不等間隔となってもよい。
【００５２】
また、上記各原稿の両端辺に対するリブ３２２の位置は、必ずしも同じ位置（例えば両端辺から同じ距離だけ内側に入った位置）でなくともよく、したがって、この原稿の両端辺に対する位置を考慮しつつ、各リブ３２２が図４に示すような等間隔となるように配置されていてもよい。また、上記各原稿の両端辺の位置に相当するリブ３２２だけでなく、原稿の中央部等を上記ガイドするためのリブ３２２が並設されてもよい。
【００５３】
また、当接部３２２１の形状は、図４（ｃ）に示すような形状、すなわち、側面視略円弧状に形成されたものでなくともよく、例えば直線状、あるいは反対側（軸体３２１側）に反った円弧状に形成されていてもよい。あるいは直線状と円弧状との組み合わせ形状であってもよい。また、当接部３２２１は、平面状に形成されてなくともよく、正面視（図４（ｂ））円弧状に形成されて（あるいは「Ｒ」加工による面取りがなされて）いてもよい。
【００５４】
また、リブ３２２は、側面視略三角形状でなくともよく、当接部３２２１に相当する辺部を有した例えば四角形状や楕円形状等の任意な形状が採用されてもよい。
【００５５】
なお、リブ３２２は、後述するように、軸体３２１の軸回転に応じて、すくい上げ部材３１０の上部（隙間部３３０）に対して突没される。
【００５６】
突起部材３２３は、軸体３２１の一端側において、軸体３２１に対して一体的に設けられており、押圧力を受けて軸体３２１と一体になって当該軸体３２１を軸回転させるものである。突起部材３２３は、軸体３２１の半径方向に延設されてなる例えば上面視略四角形状の板状体である基体３２６と、この基体３２６の上面に立設（突設）された外形視略円柱状の突起体３２５とから構成されている。突起体３２５は、この上端部３２５１において、本体部１０に対して閉じられた原稿給送部２００の下面部に当接され、下方に向けて押圧力を受ける。
【００５７】
なお、この突起体３２５の上端部３２５１は、円弧状（半円状）に形成されて（あるいは「Ｒ」加工による面取りがなされて）いてもよい。また、上端部３２５１の位置に、原稿給送部２００下面との当接（摺接）による磨耗等を防止するべく、例えばゴム体（ラバー材）を取り付けてもよい。また、突起部材３２３は、突起体３２５と基体３２６とに分かれた形状でなく、例えば所定の円柱体（丸棒体）がＬ字状に折れ曲がったような形状で一体的に形成されたものであってもよい。また、突起部材３２３は、軸体３２１に対して２個以上設けてもよい。また、当該設ける場所も、軸体３２１の一端側だけでなく、両端側あるいはそれ以外の場所であってもよい。
【００５８】
付勢部３２４は、軸体３２１の一端側において、原稿給送部２００が本体部１０の上面に対して開かれた状態において、軸体３２１に対して、突起部材３２３を本体部１０の上面から突出させる回動方向へ付勢するものである。付勢部３２４は、例えばバネ等の弾性部材から構成されるものである。ここでは、所謂巻きバネ（螺旋状の捻りバネ）を用いている。付勢部３２４は、巻きバネの巻き部が軸体３２１に嵌入された状態（巻き部内に軸体３２１が挿通された状態）となっており、一端側が軸体３２１に固定され、他端側（係止部３２４１）が、本体部１０上面の下方位置における所定の箇所に係止（固定）される構成となっている。これにより、付勢部３２４は、軸体３２１の軸回転に応じて（軸回転に抗する向き（回動方向）に）、付勢力を発生させることができる。なお、付勢部３２４は、軸体３２１に対して２個以上取り付けてもよい。また、当該取り付ける場合も、軸体３２１の一端側だけでなく、両端側あるいはそれ以外の場所であってもよい。
【００５９】
次に、図５〜７を用いて、リブ３２２の突没について詳述する。
【００６０】
図５、６は、リブ３２２（ガイド部材３２０）の、本体部１０上面（すくい上げ部材３１０）における突没の様子を示す斜視図であり、図５は、リブ３２２が本体部１０内に没入した状態を示しており、図６は、リブ３２２が本体部１０の上面から突出した状態を示している。
【００６１】
また、図７は、上記図５、６と同様、リブ３２２の本体部１０上面（すくい上げ部材３１０）における突没の様子を概略的に示す側面図であり、（ａ）は、リブ３２２が本体部１０内に没入した状態を示しており、上記図５に対応している。（ｂ）は、リブ３２２が本体部１０の上面から突出した状態を示しており、上記図６に対応している。ただし、図７（ａ）、（ｂ）は、それぞれ図５、６における符号Ｃに示す矢印方向から見た、ガイド部材３２０（及びすくい上げ部材３１０）の側面図となっている。
【００６２】
まず、図５、６は、複写機１から原稿給送部２００が取り外された状態の本体部１０（原稿読取部３００）を上方から見た図であり、本体部１０の上面の一端側には、プラテンガラス３０３と、プラテンガラス３０３の下流直近のすくい上げ部材３１０とが設けられている。また、すくい上げ部材３１０を挟んでプラテンガラス３０３の反対側には、プラテンガラス３０２が設けられている。
【００６３】
ガイド部材３２０は、これらプラテンガラス３０３及びすくい上げ部材３１０の下方で、かつ軸体３２１（の回転中心軸）がプラテンガラス３０３の長手方向と平行になるように、本体部１０の上面下部位置に取り付けられている（例えば、軸体３２１の両端部や中央部等が回動自在（軸回転可能）に本体部１０の上面下部位置に軸支されている）。
【００６４】
すくい上げ部材３１０は、同図に示すように、プラテンガラス３０３の長手方向に延設されてなり、当該長手方向に沿って、上記回動自在に取り付けられたガイド部材３２０のリブ３２２の位置に合わせた、複数のスリット３１０２（溝部；貫通穴）が形成されており、このスリット３１０２においてリブ３２２が突没される構成となっている。また、プラテンガラス３０３の長手方向の一端側の位置における本体部１０上面には、突起体用孔３０４が形成されており、この突起体用孔３０４においてガイド部材３２０の突起体３２５が突没する。
【００６５】
なお、上記本体部１０に対して開閉動作する原稿給送部２００は、本体部１０の背面側である符号３０５に示す位置（同図には、一対の取り付け位置のうち一方側の位置が示されている）を支持点（回動中心）として、符号３０５１に示す矢印方向に回動自在に支持されている。
【００６６】
ところで、図５及び図７（ａ）は、原稿給送部２００が本体部１０の上面に対して開かれた状態であり、突起体３２５は原稿給送部２００（の下面部）によって押圧を受けておらず、この場合、付勢部３２４による付勢力によって、突起体３２５が本体部１０の上面から突出し、かつリブ３２２が本体部１０内に没入した状態となる。
【００６７】
一方、図６及び図７（ｂ）は、原稿給送部２００が本体部１０の上面に対して閉じられた状態（なお、原稿給送部２００は、図示簡略化のため省略してある）であり、この場合、突起体３２５は原稿給送部２００によって、符号Ｄに示す矢印方向に押し下げられ（押圧力を受け）る。これにより、軸体３２１が付勢部３２４による付勢力に抗して符号Ｅに示す矢印方向（図７（ｂ）参照）に軸回転され、突起体３２５が本体部１０内に没入し、かつリブ３２２が、閉じられた原稿給送部２００と本体部１０との隙間部３３０（図３参照）側へ向けて突出した状態となる。
【００６８】
この図６及び図７（ｂ）に示す状態において、原稿給送部２００により搬送路２２０を経てプラテンガラス３０３の位置まで搬送されてきた原稿Ｓは、符号Ｆに示す矢印方向のように搬送される、すなわち、プラテンガラス３０３上で読み取られた後、すくい上げ部材３１０（すくい上げ面部３１０１）によってすくい上げられ、さらに当該突出されたガイド部材３２０（リブ３２２）によって、ニップ部２０７１へ向けてガイドされつつ搬送される。
【００６９】
なお、ガイド部材３２０（の形状あるいはガイド部材３２０の取り付け位置に関して）は、すくい上げ部材３１０の上面、及びすくい上げ面部３１０１から突出されるリブ３２２の突出量が、図７（ｂ）に示すものに限らず、これよりも大きくなるよう、あるいは小さくなるように構成されてもよい。また、リブ３２２が突出したときの、すくい上げ部材３１０（の上面、及びすくい上げ面部３１０１）に対する当該リブ３２２の位置は、同様に図７（ｂ）に示すものに限らず、符号Ｇに示す矢印方向に移動された位置、すなわち、突出されたリブ３２２の当接部３２２１の位置が、プラテンガラス３０３の端部３０３１の位置又はこの近傍位置となるように構成されていてもよい（リブ３２２がこの逆の方向に移動されて配置されていもよい）。
【００７０】
図８は、原稿給送部２００における、リブ３２２用のスリットを示す斜視図である。図８は、上記図５、６に示す本体部１０上に、原稿給送部２００の下部構成部材であるベース部２６０（ベースカバー）が取り外されて載置されている状態であり、かつ、すくい上げ部材３１０上にリブ３２２が突出した状態を示している。図８に示すように、ベース部２６０は、プラテンガラス３０３やすくい上げ部材３１０と対向する位置の近傍に開口部を有しており、この開口部からプラテンガラス３０３上へ向けて搬送された原稿Ｓが、再び原稿給送部２００側に戻る（搬送ローラ２０７と搬送ドラム２０５とのニップ部２０７１へ向けて搬送される）ことが可能となっている。
【００７１】
このベース部２６０には、当該ベース部材における、すくい上げ部材３１０と対向する端面部２６１（壁面部）に、すくい上げ部材３１０のスリット３１０２と同位置（対向位置）に、スリット２６２が形成されていてもよい。これにより、突没されるリブ３２２の先端側が端面部２６１と当接（干渉）するのを防止できる。
【００７２】
以上のとおり、本発明の画像形成装置によれば、ガイド部材３２０が、プラテンガラス３０３（原稿読み取り位置）からニップ部２０７１（搬送路２３０、２４０の搬入口）にかけての本体部１０と原稿給送部２００との間の隙間部３３０に対して突没自在に設けられ、このガイド部材３２０によって、プラテンガラス３０３の下流側のすくい上げ部材３１０によりプラテンガラス３０３上からすくい上げられた原稿が、ニップ部２０７１へ向けてガイドされる。
【００７３】
このように、隙間部３３０に対して突没自在に設けられ、プラテンガラス３０３上からすくい上げられた原稿がニップ部２０７１へ向けてガイドされるガイド部材３２０を備えることにより、原稿給送部２００を閉じた場合に、ガイド部材３２０を突出させてすくい上げられた原稿をニップ部２０７１へ向けてガイドし、かつ原稿給送部２００を開いた場合に、ガイド部材３２０を没入させるといった構成にするといったことが可能となり、したがって、原稿読み取り位置近傍（隙間部近傍）等の装置各部（本体部１０のすくい上げ部材３１０や原稿給送部２００のベース部２６０等）における反り等の変形に対して裕度を有するとともに、本や手等に当接せず、かつ読み取られた原稿のすくい上げ時の引っ掛かりや紙詰まり（ジャム）等のない安定した原稿の読み取り、及び読み取り後の搬送を実現することができるようになる。
【００７４】
また、原稿給送部２００は、本体部１０の上面に対して開閉自在に設けられ、原稿給送部２００が閉じられた場合に、ガイド部材３２０が隙間部３３０側に突出した状態とされ、原稿給送部２００が開かれた場合に、ガイド部材３２０が本体部１０側に没入した状態とされる。このように、原稿給送部２００を本体部１０に対して閉じた場合に、ガイド部材３２０を隙間部３３０側に突出させてすくい上げられた原稿をニップ部２０７１へ向けてガイドし、かつ、原稿給送部２００を本体部１０に対して開いた場合に、ガイド部材３２０を本体部１０内へ没入させる構成であるため、原稿給送部２００の開閉動作によって当該ガイド部材３２０を突没させることができる、すなわち、ガイド部材３２０の突没を、当該ガイド部材３２０の突没を行うための特別な動作を必要とせずに容易に行うことができるようになる。
【００７５】
また、ガイド部材３２０には、所定の回転中心軸線周りに軸回転する軸体３２１と、軸体３２１の軸方向に沿った所定位置に並設された所定数のリブ３２２と、軸体３２１に対して一体的に設けられ、押圧力を受けて軸体３２１を軸回転させる突起部材３２３と、軸体３２１に対して、原稿給送部２００が開かれた状態において突起体３２５を本体部１０の上面から突出させる回転方向へ付勢する付勢部３２４とが備えられており、原稿給送部２００が閉じられた場合には、当該原稿給送部２００による突起体３２５の押下に応じて、付勢部３２４による付勢力に抗した軸体３２１の軸回転によってリブ３２２が隙間部３３０側に突出され、原稿給送部２００が開かれた場合には、付勢部３２４による付勢力によって突起体３２５が本体部１０の上面から突出されるとともにリブ３２２が本体部１０側に没入される。
【００７６】
このように、ガイド部材３２０が、軸体３２１、リブ３２２、突起部材３２３、及び付勢部３２４からなり、原稿給送部２００を閉じた場合には、原稿給送部２００による突起体３２５の押下に応じてリブ３２２が隙間部３３０側に突出し、原稿給送部２００を開いた場合には、付勢部３２４による付勢力によって突起体３２５が本体部１０上に突出し、かつリブ３２２が本体部１０側に没入する構成であるため、原稿給送部２００の開閉動作に応じて突没自在となるガイド部材３２０を簡易な構成で実現することができる。
【００７７】
さらに、リブ３２２が、軸体３２１の軸方向に沿って、各サイズの原稿の縦及び横方向の幅寸法に基づいた位置に並設される。これにより、リブ３２２を軸体３２１に対して効果的に配置することができ、すなわち、軸体３２１に余分なリブ３２２を形成することなく、ひいては省資源化を図ることができるようになる。
【００７８】
なお、本発明は以下の態様をとることができる。
【００７９】
（Ａ）上記実施形態では、原稿給送部２００の開閉に応じ、原稿給送部２００の下面部による突起体３２５の押下・非押下によって軸体３２１が回転してリブ３２２が突没する構成であるが、原稿給送部２００の開閉動作によりリブ３２２が突没する構成は、これに限らず、例えば、所定の光学センサ（光学系）や駆動モータを備え、この光学センサによって原稿給送部２００の開閉動作を検出し、この検出情報に基づいて駆動モータを回転駆動させることにより軸体３２１を軸回転（回動）させ、リブ３２２の突没を行わせるといった構成であってもよい。なお、この場合、駆動モータに起因する光学センサのノイズ発生等を防止するために、光学センサと駆動モータとを離間させて配置する（例えば、光学センサを、図５に示す突起体用孔３０４の位置近傍に設け、一方、駆動モータを本体部１０の背面部に設ける）ことが好ましい。
【００８０】
（Ｂ）図９、１０に示すように、ガイド部材３２０に、本体部１０の上面から突出した状態のリブ３２２と閉じられた原稿給送部２００下面との隙間を確保する（リブ３２２の突出量を規制する）ための、当たり部９０１（規制突起）を設けてもよい。
【００８１】
この当たり部９０１は、例えば軸体３２１の両端側に軸体３２１と一体的に設けられた外形視略円柱体状の突起体であり、図９（ａ）における符号Ｈに示す矢印方向から見た場合の図９（ｃ）に示すように、リブ３２２の上端と当該当たり部９０１の先端部９０１１との間に距離α（この「α」は、ゼロ以上の正の値）を有するように設けられている。
【００８２】
この当たり部９０１を備えることにより、例えば本体部１０（プラテンガラス３０３やすくい上げ部材３１０）に対する原稿給送部２００の直角度が好適に得られていない場合などにおいては、閉じられた原稿給送部２００下面が当該当たり部９０１の先端部９０１１に当接し、リブ３２２の突出量が規制され、原稿給送部２００下面におけるリブ３２２に近接する部位とリブ３２２との当接、すなわち、原稿が搬送されるための隙間が無くなってしまうことが回避され、原稿の詰まり等の発生を防止できるようになる。
【００８３】
なお、図１０は、原稿給送部２００が閉じられて突起体３２５が押し下げられた場合の（閉じられた原稿給送部２００は図略）、リブ３２２と当たり部９０１とが本体部１０の上面から突出している様子を示している。ただし、本体部１０上面（例えばすくい上げ部材３１０の両端部）には、当該押し当て部９０１の突没が行われる孔部９０１２が形成されている。
【００８４】
（Ｃ）原稿給送部２００は、図５の符号３０５１に示す矢印方向、すなわち、複写機１に対する前後方向に開閉する構成でなくともよく、例えば本体部１０のプラテンガラス３０３側を回動支点として左右方向に開閉する構成であってもよい。
【００８５】
（Ｄ）すくい上げ部材３１０のすくい上げ面部３１０１の面形状は、平面形状、すなわち、図７に示すように側面視直線状に形成されてなくてもよく、所定側にカーブした面形状、すなわち、側面視凸又は凹方向に円弧状に形成されていてもよい。
【図面の簡単な説明】
【００８６】
【図１】本発明の第１の実施形態に係る画像形成装置の一例である複写機の内部構成を概略的に示す断面図である。
【図２】図１に示す複写機の概略構成を示すブロック図である。
【図３】原稿給送部及び本体部の上面部の拡大図である。
【図４】ガイド部材の一例を概略的に示す図であり、（ａ）は上面図、（ｂ）は正面図、（ｃ）は図４（ａ）におけるＢ視の側面拡大図である。
【図５】リブが本体部内に没入した状態を示す斜視図である。
【図６】リブが本体部の上面から突出した状態を示す斜視図である。
【図７】リブの本体部上面における突没の様子を概略的に示す側面図であり、（ａ）は、リブが本体部内に没入した状態を示す図であり、（ｂ）は、リブが本体部の上面から突出した状態を示す図である。
【図８】原稿給送部における、リブ用のスリットを示す斜視図である。
【図９】本発明の変形態様を示す、当たり部付きのガイド部材の一例を示す図であり、（ａ）は上面図、（ｂ）は正面図、（ｃ）は図９（ａ）におけるＨ視の側面拡大図である。
【図１０】図９に示すガイド部材におけるリブ及び当たり部が、本体部の上面から突出した状態を示す斜視図である。
【符号の説明】
【００８７】
１  複写機（画像形成装置）
１０  本体部（装置本体部）
２０  制御部
２００  原稿給送部（原稿送り部）
２０１  原稿載置部
２０２  ピックアップローラ
２０３  搬入ローラ
２０５  搬送ドラム
２０６  読み取りガイド部材
２０７  搬送ローラ
２０７１  ニップ部（搬入口）
２０８  排出ローラ
２０９  反転ローラ
２１０  ストッパ
２１１  セットスイッチ
２３０、２４０  搬送路（排出路）
２６０  ベース部
２６１  端面部
２６２  スリット
３００  原稿読取部
３０１  スキャナ
３０２  プラテンガラス
３０３  プラテンガラス（読取部）
３１０  すくい上げ部材
３１０１  すくい上げ面部
３１０２  スリット
３２０  ガイド部材（ガイド手段）
３２１  軸体
３２２  リブ
３２３  突起部材
３２４  付勢部
３２４１  係止部
３２５  突起体
３２６  基体
３３０  隙間部
９０１  当たり部
【図１】
2005213014.tif 000003
【図２】
2005213014.tif 000004
【図３】
2005213014.tif 000005
【図４】
2005213014.tif 000006
【図５】
2005213014.tif 000007
【図６】
2005213014.tif 000008
【図７】
2005213014.tif 000009
【図８】
2005213014.tif 000010
【図９】
2005213014.tif 000011
【図１０】
2005213014.tif 000012